(57)【要約】      （修正有）【課題】家具結合のＤ型螺着部材を提供する。【解決手段】木質の部材と部材を、互いに定位的に結合し、嵌合部材３を、定位的に、その一つの部材の凹み空間に結合し、もう一つの部材において、対応して位置にある円形穴に螺着部材４が貫設され、上記螺着部材で、その嵌合部材３を螺着することにより、両部材が一体に組立てられ、上記螺着部材のねじ頭４８に、二つ以上の穴４１が形成され、対応した位置に、回転部材５が設けられ、上記回転部材の先端に、ネジ頭の穴４１に対応した数の柱体が形成され、即ち、上記回転部材で、螺着部材４に合わせて嵌合部材３を螺着させることができ、そのため、木製の家具や箪笥の部材同士が組立てられ、より便利的に組立てられて定位される効果が得られる。【選択図】図１
0003188632.tif 000002
【実用新案登録請求の範囲】
【請求項１】
ネジ穴が形成され、両側に、複数の逆とげ突出部が設けられ、頂端に、指示槽がある嵌合部材と、
ねじ頭に、二つ以上の穴が形成され、ねじ端が、嵌合部材のネジ穴に螺着される螺着部材と、
先端に、螺着部材の穴の数に対応する二つ以上の柱体が突出し、柱体が、螺着部材の穴内に嵌設される回転部材と、
が含有される、
ことを特徴とする家具結合のＤ型螺着部材。
【請求項２】
回転部材の柱体は、多辺形体や円柱体の何れかの一つであることを特徴とする請求項１に記載の家具結合のＤ型螺着部材。
【請求項３】
上記螺着部材の穴が、上記回転部材の柱体に対応して、多辺形や円形の何れかの一つであることを特徴とする請求項１に記載の家具結合のＤ型螺着部材。
【考案の詳細な説明】
【技術分野】
【０００１】
本考案は、家具結合のＤ型螺着部材を提供し、主として、木製の家具や箪笥のような器具を、組立てる時や、その同士を組立てる時に適用され、回転部材を利用して、螺着部材に合わせて、嵌合部材を取り締り、使用便利性が向上されるものである。
【背景技術】
【０００２】
既存の木製家具や箪笥のような器具は、組立てれる時やその同士を組立てる時、色々の係合方式が利用され、その中、ラッチを利用して、隣り合う二つ所木製部材を、安定的に一体に結合するものがある。また、木製部材の係合周辺を、凹槽に加工して、もう一側の木製部材において、その係合周辺を、対応した凸縁に加工することにより、両部材を組立てる時、対応した凸縁と凹槽により、緊密的にに一体に結合される。しかし、このような木製家具や箪笥のような器具に適用された係合方式は、加工上、それぞれ、利点と欠点がある。
【０００３】
本考案の考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案は、木製家具や箪笥のような器具に適用され、それらの器具について、部材と部材を組立てるための家具結合のＤ型螺着部材を提供し、嵌合部材と螺着部材及び回転部材を利用して、部材同士の組み立てが、より便利的になる。
【課題を解決するための手段】
【０００５】
上記の目的を達成するために、本考案に係る家具結合のＤ型螺着部材は、嵌合部材と螺着部材及び回転部材からなる。
【０００６】
具体的にいえば、ネジ穴が形成され、両側に、複数の逆とげ突出部が設けられ、頂端に、指示槽がある嵌合部材と、ねじ頭に、二つ以上の穴が形成され、ねじ端が、嵌合部材のネジ穴に螺着される螺着部材と、先端に、螺着部材の穴の数に対応する二つ以上の柱体が突出し、柱体が、螺着部材の穴内に嵌設される回転部材と、が含有され、上記回転部材の柱体が、多辺形体や円柱体で、上記螺着部材の穴が、上記回転部材に対応した柱体である。
【０００７】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００８】
図１と図２のように、本考案に係る家具結合のＤ型螺着部材は、ネジ穴３１が形成され、両側に、複数の逆とげ突出部３２が設けられ、頂端に、指示槽３３がある嵌合部材３と、ねじ頭に、二つ以上の穴４１が形成され、ねじ端４２が、嵌合部材３のネジ穴３１に螺着される螺着部材４と、先端に、螺着部材４の穴４１の数に対応した二つ以上の柱体５１が突出し、柱体５１が、螺着部材４の穴４１内に嵌設される回転部材５と、が含有される。
【０００９】
本考案によれば、回転部材５の柱体５１は、四角柱体５１や円形柱体５１であり、上記螺着部材４の穴４１は、柱体５１に対応したものである。
【００１０】
図３乃至図５のように、木質からなる部材１と部材２を、結合する場合、嵌合部材３を定位させて、その一つの部材１的凹み空間に結合させ、また、指示槽３３で、その方位を調整し、もう一つの部材２において、対応した位置にある円形穴２１に、螺着部材４が貫設されて、上記螺着部材４が、その嵌合部材３に螺着されることにより、両部材１、２が、一体に結合され、これにより、螺着部材４のねじ端４２を、組立てられた木質部材２に貫設される時、螺着部材４を、その部材２にある円形穴２１に貫設した後、上記部材２の螺着部材４から露出したねじ端４２が、もう一つの部材１の対応した位置にある嵌合部材３に、螺着され、即ち、螺着部材４のねじ端４２を、組立てる嵌合部材３のネジ穴３１内に通し、回転部材５の柱体５１を、螺着部材４の穴４１に貫設して螺着することにより、螺着部材４のねじ端４２が、嵌合部材３のネジ穴３１内に螺着され、これにより、木製の家具や箪笥の部材１と部材２とが、組立てられ、組み立てがより便利的になり、また、螺着部材４で、嵌合部材３に螺着した後、螺着部材４に嵌設された回転部材５を取り外して保管することができるため、空間の応用に有利的になる。
【００１１】
図６のように、本考案の回転部材５の柱体５１が、二つの柱体５１である形体である。
【００１２】
図７のように、本考案の嵌合部材３と螺着部材４の他の形態で、上記嵌合部材３に、ネジ段３３が形成され、上記螺着部材４に、ネジ穴４３が形成され、螺着部材４のネジ穴４３に、嵌合部材３のネジ段３３が螺着される。
【００１３】
図８のように、本考案の嵌合部材３の第三形態であり、上記嵌合部材３が円柱で、ネジ穴３１が形成され、外周に、複数の逆とげ突出部３２が設けられ、また、末端に、指示槽３３が凹むように形成される。
【００１４】
また、図９乃至図１１のように、本考案の螺着部材４の第三形態であり、上記螺着部材４は、ねじ頭に、円柱孔４４が形成され、上記円柱孔の内壁の一側に、矩形体４５が設けられ、もう一側に、その内壁に貫通した矩形穴４６が形成され、上記側円柱孔４４の先端縁に、円穴４７が形成される。
【００１５】
本考案の回転部材５の第三形態であり、上記回転部材５に、作用端５２が形成され、その一側に、矩形凹槽５３が形成され、もう一側に、二つの半円点５４が形成される。
【００１６】
以上のように、螺着部材４のねじ端４２が、結合された木質部材２に貫設する時、螺着部材４を、部材２にある円形穴２１に通した後、上記部材２の螺着部材４から露出したねじ端４２が、もう一つの部材１にある対応した嵌合部材３に螺着され、即ち、螺着部材４のねじ端４２を、組立てる嵌合部材３のネジ穴３１に通して、回転部材５を螺着部材４の円柱孔４４内に嵌設し、回転部材５の先端の半円点５４が、螺着部材４の円点穴４７内に位置し、また、回転部材５に凹んだ矩形凹槽５３に、螺着部材４にある矩形体４５が嵌設され、その回転部材５で、螺着すれば、螺着部材４のねじ端４２が、嵌合部材３のネジ穴３１内に螺着され、木製の家具や箪笥の部材１と部材２とが、組立てられ、その後、回転部材５を、円柱孔４４の底部に押し込んで、二つの半円点５４が、螺着部材４の矩形穴４６内に位置させ、或いは、回転部材５を取り外して、保管することにより、空間の応用に、有利的になる。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】本考案の実施形態の全体構造の外観分解図
【図２】本考案の実施形態の全体構造の組立て部材の外観分解図
【図３】本考案の実施形態の全体構造の組立て部材の外観組立て図（一）
【図４】本考案の実施形態の全体構造の組立て部材の側面断面図
【図５】本考案の実施形態の全体構造の組立て部材の外観組立て図（二）
【図６】本考案の実施形態の全体構造の回転部材の他の形態図
【図７】本考案の実施形態の全体構造の嵌合部材と螺着部材の他の形態図
【図８】本考案の実施形態の全体構造の嵌合部材の第三形態図
【図９】本考案の実施形態の全体構造の螺着部材と回転部材の第三形態図
【図１０】本考案の更に他の実施形態の全体構造の組立て部材の外観組立て図
【図１１】本考案の更に他の実施形態の全体構造の組立て部材の側面断面図
【符号の説明】
【００２０】
１、２       部材                        
２１ 円形穴
３         嵌合部材                                                      
３１、４３      ネジ穴                         
３２ 逆とげ突出部
３３ 指示槽             
４         螺着部材                                
４１、６１      穴                              
４２ ねじ端
４４ 円柱孔        
４５ 矩形体
４６ 矩形穴             
４７ 円点穴             
５         回転部材    
５１ 柱体                           
５２ 作用端
５３ 矩形凹槽          
５４ 半円点
【図１】
0003188632.tif 000003
【図２】
0003188632.tif 000004
【図３】
0003188632.tif 000005
【図４】
0003188632.tif 000006
【図５】
0003188632.tif 000007
【図６】
0003188632.tif 000008
【図７】
0003188632.tif 000009
【図８】
0003188632.tif 000010
【図９】
0003188632.tif 000011
【図１０】
0003188632.tif 000012
【図１１】
0003188632.tif 000013